(57)【要約】【課題】一層の利便性向上を図ることができる携帯電気機器の収納ケースを提供する。【解決手段】収納ケース２０は、携帯電気機器本体１０とともに予備の二次電池１２が収納可能に構成され、該収納ケース２０に備えられる充電装置２１は、第１接続部２４にて携帯電気機器本体１０に接続すると共に第２接続部２５にて予備の二次電池１２と接続し、携帯電気機器本体１０に内蔵の二次電池１１及び予備の二次電池１２の充電を行う。また、予備の二次電池１２から携帯電気機器本体１０への電力補填が可能な手段を追加してもよい。【選択図】図１
2011072098.tif 000002
【特許請求の範囲】
【請求項１】
内蔵の二次電池からの電源供給を受けて動作する携帯電気機器本体の収納及び外部からの操作が可能に構成され、収納した前記携帯電気機器本体に接続部を通じて接続し、外部から非接触で伝送される交流電力の受電に基づいて所定の直流電力を生成して前記接続部を介して前記携帯電気機器本体に供給し、前記携帯電気機器本体に内蔵の二次電池の充電を行う充電装置を備えた携帯電気機器の収納ケースであって、
前記携帯電気機器本体に内蔵の二次電池に対しての予備の二次電池を収納可能に構成され、
前記充電装置は、前記携帯電気機器本体に接続する第１接続部と共に、前記予備の二次電池と接続する第２接続部を有し、前記生成した直流電力を両接続部を介して前記携帯電気機器本体に内蔵の二次電池及び前記予備の二次電池に供給し、両二次電池の充電を行うように構成されたことを特徴とする携帯電気機器の収納ケース。
【請求項２】
請求項１に記載の携帯電気機器の収納ケースにおいて、
前記携帯電気機器本体への電力補填を行うべく、前記予備の二次電池に蓄積された直流電力を前記携帯電気機器本体側に供給可能に電路が切り替えられる切替手段が備えられたことを特徴とする携帯電気機器の収納ケース。
【請求項３】
請求項１又は２に記載の携帯電気機器の収納ケースにおいて、
防水構造にて構成されたことを特徴とする携帯電気機器の収納ケース。
【請求項４】
請求項１〜３のいずれか１項に記載の携帯電気機器の収納ケースにおいて、
前記携帯電気機器本体として撮像装置を収納可能に構成されたことを特徴とする携帯電気機器の収納ケース。
【請求項５】
請求項１〜４のいずれか１項に記載の収納ケースに、二次電池内蔵の携帯電気機器本体が収納されて構成されたことを特徴とする携帯電気機器。
【発明の詳細な説明】
【技術分野】
【０００１】
本発明は、デジタルカメラやビデオカメラ等の携帯電気機器本体を収納する収納ケースに係り、詳しくは、防水構造を備えるものに特に好適で、収納状態の携帯電気機器本体への充電を可能とする携帯電気機器の収納ケース及び携帯電気機器に関するものである。
【背景技術】
【０００２】
従来より、デジタルカメラやビデオカメラ等の携帯電気機器本体を防水構造の収納ケース内に収納し、水中内での撮影を楽しむことが行われている。しかしながら、携帯電気機器本体は、内蔵の二次電池を充電しつつ使用されるものであるため、携帯電気機器本体を収納ケースから取り出して内蔵の二次電池の充電を行うが、特に防水構造を備える収納ケースではその構造上、収納した携帯電気機器本体の取り出しが煩雑となっている。
【０００３】
そこで、例えば特許文献１〜３に示されているように、収納ケース内の携帯電気機器本体をそのまま充電器に載置（近接配置）し、非接触で充電が行えるように構成したものがある。即ち、収納ケースには、充電器内の送信コイルから伝送される交流電力を受電する受電コイルと受電側回路とが備えられており、受電側回路は、携帯電気機器本体とコネクタにて電気的に接続され、受電した交流電力から充電に適した直流電力への変換等を行って携帯電気機器本体の二次電池の充電を行うようになっている。
【先行技術文献】
【特許文献】
【０００４】
【特許文献１】特開２００７−２５２６０号公報
【特許文献２】特開２００７−１２９７９１号公報
【特許文献３】特開２００６−７８５６０号公報
【発明の概要】
【発明が解決しようとする課題】
【０００５】
しかしながら、特許文献１〜３にて示される収納ケースでは、携帯電気機器本体に対する充電を行う構成のため、より利便性の高い構成とする要求に対してはまだ検討の余地があった。
【０００６】
本発明は、上記課題を解決するためになされたものであって、その目的は、一層の利便性向上を図ることができる携帯電気機器の収納ケース及び携帯電気機器を提供することにある。
【課題を解決するための手段】
【０００７】
上記課題を解決するために、請求項１に記載の発明は、内蔵の二次電池からの電源供給を受けて動作する携帯電気機器本体の収納及び外部からの操作が可能に構成され、収納した前記携帯電気機器本体に接続部を通じて接続し、外部から非接触で伝送される交流電力の受電に基づいて所定の直流電力を生成して前記接続部を介して前記携帯電気機器本体に供給し、前記携帯電気機器本体に内蔵の二次電池の充電を行う充電装置を備えた携帯電気機器の収納ケースであって、前記携帯電気機器本体に内蔵の二次電池に対しての予備の二次電池を収納可能に構成され、前記充電装置は、前記携帯電気機器本体に接続する第１接続部と共に、前記予備の二次電池と接続する第２接続部を有し、前記生成した直流電力を両接続部を介して前記携帯電気機器本体に内蔵の二次電池及び前記予備の二次電池に供給し、両二次電池の充電を行うように構成されたことをその要旨とする。
【０００８】
この発明では、収納ケースは、携帯電気機器本体とともに予備の二次電池が収納可能に構成され、該収納ケースに備えられる充電装置は、第１接続部にて携帯電気機器本体に接続すると共に第２接続部にて予備の二次電池と接続し、携帯電気機器本体に内蔵の二次電池及び予備の二次電池の充電を行う。つまり、１つの収納ケース内で、しかも１度の充電により、携帯電気機器本体に内蔵の二次電池のみならず予備の二次電池の充電も可能なため、利便性が一層向上するものとなる。
【０００９】
請求項２に記載の発明は、請求項１に記載の携帯電気機器の収納ケースにおいて、前記携帯電気機器本体への電力補填を行うべく、前記予備の二次電池に蓄積された直流電力を前記携帯電気機器本体側に供給可能に電路が切り替えられる切替手段が備えられたことをその要旨とする。
【００１０】
この発明では、予備の二次電池に蓄積された直流電力が携帯電気機器本体側に供給可能に電路が切り替えられる切替手段が備えられ、予備の二次電池からの携帯電気機器本体への電力補填が可能となる。これにより、携帯電気機器本体の使用時間の延長が可能となり、このことでも利便性向上に寄与できる。
【００１１】
請求項３に記載の発明は、請求項１又は２に記載の携帯電気機器の収納ケースにおいて、防水構造にて構成されたことをその要旨とする。
この発明では、収納ケースは防水構造にて構成されるため、携帯電気機器本体の使用範囲が拡大する。ところで、防水構造の収納ケースはその構造上、ケースの開閉が煩雑で携帯電気機器本体の電池交換が行い辛いことから、特に請求項２の発明を適用して携帯電気機器本体の使用時間の延長を図る効果は大である。
【００１２】
請求項４に記載の発明は、請求項１〜３のいずれか１項に記載の携帯電気機器の収納ケースにおいて、前記携帯電気機器本体として撮像装置を収納可能に構成されたことをその要旨とする。
【００１３】
この発明では、収納ケースは撮像装置を収納可能に構成されるため、撮像装置の利便性向上に寄与できる。
請求項５に記載の発明は、請求項１〜４のいずれか１項に記載の収納ケースに、二次電池内蔵の携帯電気機器本体が収納されて構成された携帯電気機器である。
【００１４】
この発明では、上記の収納ケースに携帯電気機器本体が収納されて構成されるため、携帯電気機器の利便性が一層向上するものとなる。
【発明の効果】
【００１５】
本発明によれば、一層の利便性向上を図ることができる携帯電気機器の収納ケース及び携帯電気機器を提供することができる。
【図面の簡単な説明】
【００１６】
【図１】第１実施形態における携帯電気機器の充電システムの構成図である。
【図２】第２実施形態における携帯電気機器の充電システムの構成図である。
【発明を実施するための形態】
【００１７】
（第１実施形態）
以下、本発明を具体化した第１実施形態を図面に従って説明する。
図１は、本実施形態における携帯電気機器の充電システムを示す。デジタルカメラやビデオカメラ等の撮像装置よりなる携帯電気機器本体１０は、専用の電池パックや汎用の電池形状をなす二次電池１１が取り付け及び取り外し可能に内蔵され、該二次電池１１からの電源供給に基づいて静止画や動画等の主たる機能が動作する。
【００１８】
携帯電気機器本体１０の付属品として収納ケース２０があり、該収納ケース２０は、携帯電気機器本体１０を位置決めした状態で収納可能で、収納状態においてもケース２０の外側から携帯電気機器本体１０の操作が可能に構成されている。収納ケース２０は、防水構造にて構成されており、水中での撮影等の機能動作をも可能としている。
【００１９】
また、収納ケース２０には、収納状態の携帯電気機器本体１０に対して二次電池１１を装着状態のまま充電する充電装置２１が備えられている。充電装置２１は、受電コイル２２と受電回路２３とを備えるのに加え、受電回路２３と携帯電気機器本体１０とを電気的に接続するための第１接続部２４を備えている。充電装置２１は、充電器３０側から伝送される所定の交流電力を受電コイル２２にて受電し、受電回路２３にて充電に適した直流電力に変換し、その接続部２４を通じて携帯電気機器本体１０（二次電池１１）の充電が可能となっている。
【００２０】
また、収納ケース２０は、例えば前記二次電池１１と同様の構成をなす（携帯電気機器本体１０への交換使用が可能な）予備の二次電池１２がケース２０内部に設けたホルダ（図示略）にて保持可能となっている。充電装置２１は、受電回路２３とその二次電池１２とを電気的に接続するための第２接続部２５を備え、携帯電気機器本体１０（二次電池１１）の充電と共に、予備の二次電池１２の充電が可能に構成されている。
【００２１】
このような収納ケース２０（携帯電気機器本体１０）に対して構成される充電器３０は、送電コイル３１と送電回路３２を備え、家庭用電源等の外部電源から携帯電気機器本体１０側の充電に適した所定の交流電力を生成し、送電コイル３１から送電を行う。
【００２２】
そして、収納ケース２０に収納された携帯電気機器本体１０が充電器３０に載置（近接配置）されることで送電コイル３１から受電コイル２２に向けて電力が伝送され、収納ケース２０内の充電装置２１にて携帯電気機器本体１０に装着状態の二次電池１１及び予備の二次電池１２が共に充電される。これにより、単に携帯電気機器本体１０（二次電池１１）への充電のみならず、予備の二次電池１２の充電をも行えるようになっている。
【００２３】
次に、本実施形態の特徴的な作用効果を記載する。
（１）本実施形態では、収納ケース２０は、携帯電気機器本体１０とともに予備の二次電池１２が収納可能に構成されており、該収納ケース２０に備えられる充電装置２１は、第１接続部２４にて携帯電気機器本体１０に接続すると共に第２接続部２５にて予備の二次電池１２と接続し、携帯電気機器本体１０に内蔵の二次電池１１及び予備の二次電池１２の充電を行う。つまり、１つの収納ケース２０内で、しかも１度の充電により、携帯電気機器本体１０に内蔵の二次電池１１のみならず予備の二次電池１２の充電も可能なため、利便性の一層の向上を図ることができる。尚、本実施形態の収納ケース２０は防水構造をなしているため、撮像装置よりなる携帯電気機器本体１０の水中撮影を可能とする等、使用範囲を拡大するものである。
【００２４】
（第２実施形態）
以下、本発明を具体化した第２実施形態を図面に従って説明する。
図２は、本実施形態における携帯電気機器の充電システムを示す。本実施形態では、収納ケース２０内に備えられる充電装置２１に送信回路２６及び切替部２７，２８が加えられて構成されている。切替部２７は第１接続部２４側の電路上に設けられ、切替部２８は第２接続部２５側の電路上に設けられ、両切替部２７，２８は送信回路２６を介して互いに接続されている。
【００２５】
切替部２７は、通常時において受電回路２３と携帯電気機器本体１０（二次電池１１）とを接続状態とし、切替部２８は、通常時において受電回路２３と予備の二次電池１２とを接続状態としている。即ち、通常時の切替部２７，２８は、充電器３０により携帯電気機器本体１０（二次電池１１）及び予備の二次電池１２を充電可能な状態としている。
【００２６】
これに対し、例えば携帯電気機器本体１０に内蔵の二次電池１１の充電電圧が低下すると、使用者による手動切り替え、若しくは自動切り替えにより切替部２７，２８が切り替えられ、携帯電気機器本体１０と予備の二次電池１２とが送信回路２６を介して接続される。このとき、携帯電気機器本体１０と予備の二次電池１２とは、受電回路２３側と遮断される。そして、送信回路２６の動作により、予備の二次電池１２からの直流電力が携帯電気機器本体１０側に供給されるようになり、携帯電気機器本体１０の使用時間が延長可能になっている。
【００２７】
次に、本実施形態の特徴的な作用効果を記載する。
（１）本実施形態においても、前記第１実施形態の作用効果（１）と同様の作用効果を得ることができる。
【００２８】
（２）本実施形態では、予備の二次電池１２に蓄積された直流電力が携帯電気機器本体１０側に供給可能に電路が切り替えられる切替部２７，２８及び送信回路２６が備えられ、予備の二次電池１２からの携帯電気機器本体１０への電力補填が可能に構成されている。これにより、携帯電気機器本体１０の使用時間の延長が可能となり、このことでも利便性向上に寄与することができる。また、収納ケース２０は防水構造が故にケース２０の開閉が煩雑で携帯電気機器本体１０の電池交換が行い辛いことから、上記構成として携帯電気機器本体１０の使用時間の延長を図る効果は大である。
【００２９】
尚、本発明の実施形態は、以下のように変更してもよい。
・上記各実施形態では特に言及しなかったが、収納ケース２０に収納及び充電可能な予備の二次電池１２を単数又は複数としてもよい。つまり、二次電池１２を保持するホルダ（図示略）及び電気的接続を図る第２接続部２５の数を適宜変更してもよい。
【００３０】
・上記各実施形態では、携帯電気機器本体１０をデジタルカメラやビデオカメラ等の撮像装置としたが、その他の携帯電気機器であってもよい。
・上記各実施形態では、収納ケース２０は防水構造であったが、例えば防滴構造、防塵構造等で構成されたものであってもよい。
【符号の説明】
【００３１】
１０…携帯電気機器本体、１１，１２…二次電池、２０…収納ケース、２１…充電装置、２４…第１接続部、２５…第２接続部、２６…送信回路（切替手段）、２７，２８…切替部（切替手段）。
【図１】
2011072098.tif 000003
【図２】
2011072098.tif 000004